(57)【特許請求の範囲】
【請求項１】
第１球検出手段で検出した入賞球を球停留誘導部材で一時停留させ、前記球検出手段の検出信号に基いて図柄変動を開始した図柄表示装置で特定の図柄組合わせが成立した際には、前記球停留誘導部材が停留入賞球を第１球通出路側へ通出するよう動作して、該第１球通出路に設けた第２球検出手段の検出信号に基き特別遊技権利状態を現出する一方、前記図柄表示装置で特定の図柄組合わせが成立しなかった際には、前記球停留誘導部材が停留入賞球を第２球通出路側へ通出するよう動作して、当該入賞球を機裏側へ排出するようにしたパチンコ遊技機の入球装置において、
前記第２球通出路の所要位置に第３球検出手段を設け、前記球停留誘導部材から第２球通出路へ通出された停留入賞球の通出確認を行ない得るよう構成し、
前記図柄表示装置で特定の図柄組合わせが成立した際に、前記第２球検出手段が検出信号を出力しなかった場合または前記第３球検出手段が検出信号を出力した場合は、これを入賞球の通出エラーとして判定し得るよう構成した
ことを特徴とするパチンコ遊技機の入球装置。
【請求項２】
第１球検出手段で検出した入賞球を球停留誘導部材で一時停留させ、前記球検出手段の検出信号に基いて図柄変動を開始した図柄表示装置で特定の図柄組合わせが成立した際には、前記球停留誘導部材が停留入賞球を第１球通出路側へ通出するよう動作して、該第１球通出路に設けた第２球検出手段の検出信号に基き特別遊技権利状態を現出する一方、前記図柄表示装置で特定の図柄組合わせが成立しなかった際には、前記球停留誘導部材が停留入賞球を第２球通出路側へ通出するよう動作して、当該入賞球を機裏側へ排出するようにしたパチンコ遊技機の入球装置において、
前記第２球通出路の所要位置に第３球検出手段を設け、前記球停留誘導部材から第２球通出路へ通出された停留入賞球の通出確認を行ない得るよう構成し、
前記図柄表示装置で特定の図柄組合わせが成立しなかった際に、前記第３球検出手段が検出信号を出力しなかった場合または前記第２球検出手段が検出信号を出力した場合は、これを入賞球の通出エラーとして判定し得るよう構成した
ことを特徴とするパチンコ遊技機の入球装置。
【請求項３】
前記図柄表示装置で特定の図柄組合わせが成立した際に、前記第２球検出手段が検出信号を出力しなかった場合または前記第３球検出手段が検出信号を出力した場合は、これを入賞球の通出エラーとして判定し得るよう構成した請求項２記載のパチンコ遊技機の入球装置。
【請求項４】
第１球検出手段で検出した入賞球を球停留誘導部材で一時停留させ、前記球検出手段の検出信号に基いて図柄変動を開始した図柄表示装置で特定の図柄組合わせが成立した際には、前記球停留誘導部材が停留入賞球を第１球通出路側へ通出するよう動作して、該第１球通出路に設けた第２球検出手段の検出信号に基き特別遊技権利状態を現出する一方、前記図柄表示装置で特定の図柄組合わせが成立しなかった際には、前記球停留誘導部材が停留入賞球を第２球通出路側へ通出するよう動作して、当該入賞球を機裏側へ排出するようにしたパチンコ遊技機の入球装置において、
前記第２球通出路の所要位置に第３球検出手段を設け、前記球停留誘導部材から第２球通出路へ通出された停留入賞球の通出確認を行ない得るよう構成し、
前記図柄表示装置が作動していない時または該装置が作動して図柄が変動している時に、前記第２球検出手段または第３球検出手段から検出信号が出力された場合は、これを入賞球の通出エラーとして判定し得るよう構成した
ことを特徴とするパチンコ遊技機の入球装置。
【発明の詳細な説明】
【０００１】
【発明の属する技術分野】
この発明は、パチンコ遊技機の入球装置に関し、更に詳細には、球検出手段で検出した入賞球を球停留誘導部材で一時停留させ、前記球検出手段の検出信号に基いて図柄変動を開始した図柄表示装置で特定の図柄組合わせが成立した際には、前記球停留誘導部材が停留入賞球を第１球通出路側へ通出するよう動作して、該第１球通出路に設けた入賞装置作動スイッチの検出信号に基き特別遊技権利状態を現出する一方、前記図柄表示装置で特定の図柄組合わせが成立しなかった際には、前記球停留誘導部材が停留入賞球を第２球通出路側へ通出するよう動作して、当該入賞球を機裏側へ排出するようにしたパチンコ遊技機の入球装置に関するものである。
【０００２】
【従来の技術】
例えば、所謂「権利物」とも称される第３種パチンコ遊技機として、従来から多種多様のものが提案され実施に供されている。この第３種パチンコ遊技機は、球検出手段(図柄始動スイッチ)や球停留誘導部材および入賞装置作動領域等を備えた入球装置(普通電動役物)、数字やイラスト等の図柄を変動表示または停止表示する図柄表示装置、第３種始動口、大入賞口を備えた大型入賞装置等を、遊技盤の所要位置に備えている。このような第３種パチンコ遊技機の基本的な遊技形態は、前記遊技盤へ打出された遊技球が前記入球装置の球通入路に通入されて前記図柄始動スイッチで検出されると、この検出信号に基いて前記図柄表示装置が図柄組合わせ変動を開始し、該図柄表示装置で特定の図柄組合わせが成立した場合には、前記球停留誘導部材で一時的に停留保持されていた当該入賞球が、前記入賞装置作動領域へ通出案内されて該領域に設けた入賞装置作動スイッチの検出信号に基いて特別遊技権利状態となる。そして、この特別遊技権利状態となったら、次に前記第３種始動口へ遊技球を入賞させることで、前記大型入賞装置の大入賞口が開放する。そして、第３種始動口へ１６個の遊技球が入賞するか、或いは新たな入賞球が入賞装置作動領域に通入するまでの間は、当該の特別遊技権利状態(大当り状態)が継続するようになっている。
【０００３】
すなわち前記入球装置では、前記図柄始動スイッチで検出された入賞球を前記球停留誘導部材で一時的に停留保持し、この入賞球停留状態で前記図柄表示装置の図柄組合わせ変動を行ない、該図柄表示装置で特定の図柄組合わせの成立時には、前記球停留誘導部材が停留保持していた当該入賞球を入賞装置作動領域(第１球通出路)の側へ通出させて特別遊技権利状態を現出させる。また、前記図柄表示装置で特定の図柄組合わせの非成立時には、前記球停留誘導部材が停留保持していた当該入賞球を、別の球通出領域(第２球通出路)の側へ通出させるようになっている。
【０００４】
【発明が解決しようとする課題】
しかしながら従来の入球装置では、前記第１球通出路に入賞装置作動スイッチが配設されているだけであるから、球停留誘導部材から該第１球通出路の側へ通出される遊技球の通出確認が可能だったが、前記第２球通出路にはスイッチ等の球検出手段が配設されていないため、球停留誘導部材から該第２球通出路の側へ通出される遊技球の通出確認が不可能となっていた。このため、前記図柄表示装置での図柄の組合わせ結果に基き、前記球停留誘導部材が適正に動作して停留入賞球の適切な通出が行なわれているか否かを正確に判定し得ない問題を内在していた。例えば、図柄表示装置で特定の図柄組合わせが成立した時に停留入賞球が第２球通出路へ不適切に通出されたことや、図柄表示装置で特定の図柄組合わせが成立しない時に停留入賞球が第２球通出路へ適切に通出されなかった場合等、入球装置の異常により入賞球の通出エラーが発生した際にこれを好適に判定することが不可能であった。
【０００５】
【発明の目的】
本発明は、前述した課題を好適に解決するために提案されたもので、球停留誘導部材に一時停留された入賞球が、図柄表示装置での図柄組合わせ結果に基いて第１球通出路または第２球通出路へ適切に通出されたか否かを検出し、通出エラーが発生した時にはこれを好適に判定し得るようにしたパチンコ遊技機の入球装置を提供することを目的とする。
【０００６】
【課題を解決するための手段】
前述した課題を克服し、所期の目的を達成するため本発明は、第１球検出手段で検出した入賞球を球停留誘導部材で一時停留させ、前記球検出手段の検出信号に基いて図柄変動を開始した図柄表示装置で特定の図柄組合わせが成立した際には、前記球停留誘導部材が停留入賞球を第１球通出路側へ通出するよう動作して、該第１球通出路に設けた第２球検出手段の検出信号に基き特別遊技権利状態を現出する一方、前記図柄表示装置で特定の図柄組合わせが成立しなかった際には、前記球停留誘導部材が停留入賞球を第２球通出路側へ通出するよう動作して、当該入賞球を機裏側へ排出するようにしたパチンコ遊技機の入球装置において、
前記第２球通出路の所要位置に第３球検出手段を設け、前記球停留誘導部材から第２球通出路へ通出された停留入賞球の通出確認を行ない得るよう構成し、
前記図柄表示装置で特定の図柄組合わせが成立した際に、前記第２球検出手段が検出信号を出力しなかった場合または前記第３球検出手段が検出信号を出力した場合は、これを入賞球の通出エラーとして判定し得るよう構成したことを特徴とする。
同じく、前述した課題を克服し、所期の目的を達成するため別の発明は、第１球検出手段で検出した入賞球を球停留誘導部材で一時停留させ、前記球検出手段の検出信号に基いて図柄変動を開始した図柄表示装置で特定の図柄組合わせが成立した際には、前記球停留誘導部材が停留入賞球を第１球通出路側へ通出するよう動作して、該第１球通出路に設けた第２球検出手段の検出信号に基き特別遊技権利状態を現出する一方、前記図柄表示装置で特定の図柄組合わせが成立しなかった際には、前記球停留誘導部材が停留入賞球を第２球通出路側へ通出するよう動作して、当該入賞球を機裏側へ排出するようにしたパチンコ遊技機の入球装置において、
前記第２球通出路の所要位置に第３球検出手段を設け、前記球停留誘導部材から第２球通出路へ通出された停留入賞球の通出確認を行ない得るよう構成し、
前記図柄表示装置で特定の図柄組合わせが成立しなかった際に、前記第３球検出手段が検出信号を出力しなかった場合または前記第２球検出手段が検出信号を出力した場合は、これを入賞球の通出エラーとして判定し得るよう構成したことを特徴とする。
同じく、前述した課題を克服し、所期の目的を達成するため更に別の発明は、第１球検出手段で検出した入賞球を球停留誘導部材で一時停留させ、前記球検出手段の検出信号に基いて図柄変動を開始した図柄表示装置で特定の図柄組合わせが成立した際には、前記球停留誘導部材が停留入賞球を第１球通出路側へ通出するよう動作して、該第１球通出路に設けた第２球検出手段の検出信号に基き特別遊技権利状態を現出する一方、前記図柄表示装置で特定の図柄組合わせが成立しなかった際には、前記球停留誘導部材が停留入賞球を第２球通出路側へ通出するよう動作して、当該入賞球を機裏側へ排出するようにしたパチンコ遊技機の入球装置において、
前記第２球通出路の所要位置に第３球検出手段を設け、前記球停留誘導部材から第２球通出路へ通出された停留入賞球の通出確認を行ない得るよう構成し、
前記図柄表示装置が作動していない時または該装置が作動して図柄が変動している時に、前記第２球検出手段または第３球検出手段から検出信号が出力された場合は、これを入賞球の通出エラーとして判定し得るよう構成したことを特徴とする。
【０００７】
【作用】
入賞装置作動領域とされる第１球通出路に第２球検出手段を配設すると共に、第２球通出路に第３球検出手段を配設したことにより、図柄表示装置での図柄組合わせ結果に基き球停留誘導部材に一時停留された入賞球が第１球通出路または第２球通出路へ適切に通出されたか否かを正確に検出し得るから、入球装置の異常やトラブル等による入賞球の通出エラーを好適に判定することが可能である。例えば、図柄表示装置で特定の図柄組合わせが成立した際に、球停留誘導部材に一時停留された入賞球が入賞装置作動領域とされる第１球通出路へ適切に通出されたか否かを検出して入賞球の通出エラー発生を判定できると共に、前記図柄表示装置で特定の図柄組合わせが成立しなかった際に、球停留誘導部材に一時停留された入賞球が第２球通出路へ適切に通出されたか否かを検出して入賞球の通出エラー発生を判定できる。更には、前記図柄表示装置が作動していない時または該装置が作動して図柄が変動している時に、第１球通出路または第２球通出路へ遊技球が通出された場合も、入賞球の通出エラー発生を判定し得る。
【０００８】
【発明の実施の形態】
次に、本発明に係るパチンコ遊技機の入球装置につき、好適な実施例を挙げて、添付図面を参照しながら以下詳細に説明する。なお本実施例の入球装置は、第３種パチンコ遊技機として規定された遊技態様を前提に構成され、該遊技機におけるパチンコ遊技において特別遊技権利状態を現出するためのものである。
【０００９】
(遊技盤について)
先ず、図６に略示されるパチンコ遊技機の遊技盤Ａについて要約説明すると、該遊技盤Ａでは、その前面に取着された略円形状の案内レール１０内に画成された遊技領域１１において、その略中央に本実施例の入球装置(普通電動役物)Ｂが配設され、該入球装置Ｂの下方に３列の図柄組合わせ変動を行なう図柄表示装置Ｃが配設されている。また遊技領域１１の右側に、第３種始動口Ｄが配設される一方、該第３種始動口Ｄの下方に、横長矩形状の大入賞口８４を有する大型入賞装置Ｅが配設されている。更に遊技領域１１の左側略中央には、前記入球装置Ｂに設けられた開閉機構４５を作動させる機能を具有する開閉作動入賞口Ｆが設けられ、また該入球装置Ｂの左右両側部位には普通入賞口Ｇが配設されている。なお、図中の符号１２はランプを内蔵した電飾回転体、符号１３は普通回転体、符号１４はアウト口、符号１５は電飾具である。
【００１０】
(入球装置の概略構成について)
本実施例の入球装置Ｂは、図１〜図３に示すように、前記遊技盤Ａに装着セットされて入賞球(セーフ球)の球通入出経路部２６を形成した本体２０を主体とし、この本体２０の所要位置に、入賞球の通入形態および通出形態を制御する各種の機構が配設されている。すなわち前記球通入出経路部２６の上側には、遊技球用の入賞領域３０ａを幅広・幅狭に可変する開閉機構４５が配設され、また球通入出経路部２６の下方には、入賞球を第１球通出路３７または第２球通出路３８へ振分けて通出する球停留誘導機構５５が配設されている。また球通入出経路部２６の略中央部には、前記球停留誘導機構５５の側へ入賞球が通入することを規制する球通入規制機構６５が配設されている一方、該球通入出経路部２６の右側には、連続的に通入した入賞球を適宜時間差を以て通入案内する球通入遅延機構７０が設けられている。
【００１１】
(本体について)
前記本体２０は、入球装置Ｂの主体として複合組立式の筺型とされ、具体的には図１〜図３に示すように、適宜デザイン形状に形成されて遊技盤Ａに直接的にビス固定される取付板部２１を中心とし、該取付板部２１の前面側に形成されて前記球通入出経路部２６を実質的に画成する前枠部２２と、前記取付板部２１の背面側に形成されて前記各機構を構成する各種部材・部品等の搭載部とされる裏板２４をビス固定する後枠部２３とから構成されている。また前記前枠部２２の前面には、球通入出経路部２６を覆蓋すると共に透視可能とし、適宜の色彩やイラスト等が付された前装飾板２５が、着脱可能にビス固定される。
【００１２】
(球通入出経路部)
前記本体２０の取付板部２１、前枠部２２および前記前装飾板２５により囲繞画成される前記球通入出経路部２６は、該前枠部２２の上部中央に装着した入賞球検知スイッチ２９の検出口を実質的な入球装置入賞口３０としたもとで、上下略中央を境界とした上側領域に画成される球通入部２７と、下側領域に画成される球通出部２８とから構成されている。そして前記入賞球検知スイッチ２９は、球通入出経路部２６に通入される全ての入賞球を検知し、夫々の入賞球に対する検知信号に基き、図示しない賞球払出装置から所定数(例えば１５個)の賞球が球皿へ払出される。
【００１３】
前記球通入部２７には、前記取付板部２１に一体成形された案内壁３１により、図２の正面右側に画成されて略倒伏Ｕ字状に屈曲して延在する第１球通入路(球通入路)３２と、正面左側に画成されて略倒立Ｌ字状に延在する第２球通入路３３とが形成されている。このうち第１球通入路３２は、前記入球装置入賞口３０から通入した入賞球の通常球処理路とされ、該第１球通入路３２の中間に後述する球通入遅延機構７０が設けられると共に、該第１球通入路３２の下流側の壁部に、前記球通出部２８への球通入口とされる図柄始動ゲート３５が開設されている。また第２球通入路３３は、前記第１球通入路３２に複数個の先行入賞球が存在している際に、次行入賞球を迂回通出させるための非常球処理路とされ、第１球通入路３２での球詰まりを防止する機能を発揮するようになっている。なお、第１球通入路３２および第２球通入路３３は、その下流側(球通入出経路部２６の左側略中央)で相互に合流して取付板部２１の左側中央に設けた球通出処理口３４に連通しており、▲１▼第１球通入路３２へ通入されたものの球通出部２８側への通入が規制された入賞球、▲２▼第２球通入路３３へ通出された入賞球は、所謂普通入賞球として前記球通出処理口３４を介して遊技盤Ａの裏側へ排出処理される。
【００１４】
一方、前記球通出部２８は、前記図柄始動ゲート３５から垂下延在する球導入路３６と、該球通出部２８の右側下部に形成されて「入賞装置作動領域」と称される第１球通出路３７と、前記球通出部２８の左側下部に形成されて「球(停留球)排出領域」と称される第２球通出路３８とから構成されている。そして、前記球導入路３６の出口側と、第１球通出路３７および第２球通出路３８の入口側には、前記球停留誘導機構５５における球停留誘導部材としての球振分体５６が配設されており、この球振分体５６により前記球導入路３６に通入された入賞球を第１球通出路３７または第２球通出路３８へ区分通出させるようになっている。また、前記球導入路３６の途中に球検出手段としての図柄始動スイッチ(第１球検出手段)３９が配設され、前記第１球通出路３７に入賞装置作動スイッチ(第２球検出手段)４０が配設されると共に、前記第２球通出路３８に球排出確認スイッチ(第３球検出手段)４１が配設されている。
【００１５】
このうち前記図柄始動スイッチ３９は、前記図柄表示装置Ｃの図柄変動開始の契機となる機能と、後述する球通入規制機構５５の作動の契機となる機能とを有しており、前記第１球通入路３２から図柄始動ゲート３５を介して前記球導入路３６へ通入された入賞球の通過を検出すると、その検出信号を当該遊技機を総合的に制御する制御基板としての主基板９０へ出力するようになっている。これにより主基板９０では、前記図柄表示装置Ｃを制御する図柄制御基板９１へ所定のコマンド信号を出力する一方、前記球通入規制機構６５における規制ソレノイド(電磁ソレノイド)６８を励磁作動させる(図７)。
【００１６】
また前記入賞装置作動スイッチ４０は、特別遊技権利状態現出の契機となる機能を有し、前記図柄表示装置Ｃにおいて特定の図柄組合わせ(大当り)が成立した場合、これに基いて作動制御された前記球停留誘導機構５５の前記球振分体５６に一時的に停留している入賞球が第１球通出路３７へ通出されたことを検出すると、その検出信号を前記主基板９０へ出力するようになっている。これにより主基板９０では、特別遊技権利状態を現出するために、前記大型入賞装置Ｅにおける入賞装置ソレノイド８６の励磁制御して該入賞装置Ｅにおける大入賞口８４を開放させる(図７)。
【００１７】
更に前記球排出確認スイッチ４１は、前記図柄表示装置Ｃにおいて特定以外の図柄組合わせ(外れ)が成立した場合に、これに基いて作動制御された前記球停留誘導機構５５の前記球振分体５６に一時的に停留している入賞球が、第２球通出路３８へ正確に通出されたことを検出するためのものである。また、第１球通出路３７に前記入賞装置作動スイッチ４０を配設すると共に、第２球通出路３８に前記球排出確認スイッチ４１を新規に配設したことにより、後述するように、球停留誘導機構５５の球振分体５６に一時停留された入賞球が、図柄表示装置Ｃでの図柄組合わせ結果に基いて第１球通出路３７または第２球通出路３８へ適切に通出されたか否かを検出し、通出エラー発生時には前記主基板９０がこれを好適に判定し得るようになっている。
【００１８】
なお、前記図柄表示装置Ｃで特定の図柄組合わせが成立し、前記球停留誘導機構５５が適切に動作したもとで前記入賞装置作動スイッチ４０が入賞球を検出した場合には、この検出信号に基いて特別遊技権利状態が現出される。この特別遊技権利状態では、第３種始動口Ｄで入賞球が発生した時点から、▲１▼所定時間(例えば９.５秒)が経過した場合、▲２▼この所定時間内に所定個数(例えば１０個)の入賞球が発生した場合、の何れかの条件が成立するまで大型入賞装置Ｅの大入賞口８４が開放される。そして、大型入賞装置Ｅにおける大入賞口８４の開放動作は、特別遊技権利状態において、▲１▼前記第３種始動口Ｄで合計１６個の入賞球が発生した場合、▲２▼前記入球装置Ｂにおいて新たな入賞球が第１球通出路３７へ通出されて前記入賞装置作動スイッチ４０で検出された場合、の何れかの条件が成立するまで継続される。
【００１９】
(開閉機構)
前記本体２０の上部に配設された前記開閉機構４５は、図１〜図５に示すように、互いに対称な構造・形状に成形されて前記入賞球検知スイッチ２９を挟んで左右両側に配設された羽根部材４６,４６を、本体２０の前記後枠部２３の内側上部に配設されたクランク部材４７と、前記裏板２４に固定された開閉ソレノイド４８とで制御するようになっている。前記各羽根部材４６,４６は、前記前装飾板２５の裏面に左右所要間隔に一体成形された支持軸４９,４９に枢支された左右回動形態とされ、該支持軸４９に枢支される基部から上方に向かって徐々に薄肉となると共に相互近接する方向へ湾曲した所謂フラップ状を呈しており、前記基部の背面から後方へ水平に延出形成された連繋棒４６ａが、前記クランク部材４７に連繋するようになっている。また前記クランク部材４７は、前記後枠部２３に対して水平に架設されるクランクピン５０に回動自在に枢支されており、前記各羽根部材４６の連繋棒４６ａ先端が突入係合する凹状の第１連繋部４７ａ,４７ａと、前記開閉ソレノイド４８のロッド４８ａに設けたフランジ４８ｂが係止連繋する第２連繋部４７ｂとを有している。
【００２０】
前記開閉ソレノイド４８は、非励磁状態ではロッド４８ａに装着したスプリング４８ｃの付勢力により該ロッド４８ａを前進させた状態とされ、励磁状態では該スプリング４８ｃの付勢力に抗してロッド４８ａを後退させるようになる。なお前記開閉ソレノイド４８は、前記開閉作動入賞口Ｆに遊技球が入球した際に、該入賞口Ｆに配設した開閉作動口スイッチ１６が当該遊技球を入賞球として検出した際に、その検出信号の入力を受けた前記主基板９０からの制御信号に基いて励磁制御され、後述するように、例えば通常遊技状態中では０.３秒間励磁制御され(図１４)、確率変動遊技状態中では３秒間に亘って励磁制御される(図１５)。
【００２１】
このように構成された開閉機構４５は、前記開閉ソレノイド４８の非励磁状態とされる通常状態時(図３)では、各羽根部材４６,４６がその先端部４６ｂ,４６ｂを互いに近接させた第１位置に保持され(図２に２点鎖線で示す)、遊技球が辛うじて通過し得る程度に入賞領域３０ａを狭小して遊技球の入賞確率を低下させるようになる。一方、主基板９０からの制御信号に基いて前記開閉ソレノイド４８が励磁制御されると(図４)、前記ロッド４８ａの後退変位に従って前記クランク部材４７が図４において時計方向へ回動することにより、各羽根部材４６,４６がその先端部４６ｂ,４６ｂを互いに離間させた第２位置に変位され(図２に実線で示す)、前記入賞領域３０ａを大きく拡幅して(通常の約３倍)遊技球の入賞球の発生確率を大幅に向上させるようになる。
【００２２】
(球停留誘導機構)
前記球停留誘導機構５５は、前述したように、図柄始動ゲート３５を介して球導入路３６へ通入された入賞球を、前記図柄表示装置Ｃの図柄組合わせ変動中に亘って一時的に停留保持すると共に、該図柄表示装置Ｃの図柄組合わせ結果に基き、当該入賞球を第１球通出路３７または第２球通出路３８へ振分けて区分通出するものである。具体的に球停留誘導機構５５は、図２〜図５に示すように、球収容部５７を有する円筒状の前記球振分体５６を、前記取付板部２１および裏板２４にスリーブを介して回転自在に支持させた回転ピン５８の前端側に固定する一方、前記回転ピン５８の後端側に連結した球誘導モータ５９の回転駆動制御により、前記球振分体５６を図２の時計方向および反時計方向の両方向へ回転させ得るようになっている。なお前記球誘導モータ５９は、前記裏板２４に所要間隔をおいて固定されるモータベース６０に固定されている。
【００２３】
また前記回転ピン５８の後端と前記球誘導モータ５９の駆動軸との間には、外端壁部６１ａに透光スリット６２を設けた円盤状のセンサ板６１が配設され、該センサ板６１は、該モータ５９および前記回転ピン５８を連結して同期的に回転するようになっている。そしてセンサ板６１の外端壁部６１ａは、前記モータベース６０に固定されたセンサ基板６３に設けた原位置スイッチとしてのフォトセンサ６４の検出部位に臨んでおり、球誘導モータ５９と共に回転する該センサ板６１の前記透光スリット６２が検出部に至ると、前記フォトセンサ６４がこれを検出するようになっている。すなわち、前記透光スリット６２がフォトセンサ６４の検出部に到来すると、前記球振分体５６の球収容部５７が前記球導入路３６に整合するようになっており、この状態が当該球停留誘導機構５５の原点位置とされている。
【００２４】
このように構成された球停留誘導機構５５は、前記球誘導モータ５９の非通電状態時では、前記球収容部５７が前記球導入路３６に整合した状態に前記球振分体５６が制御されているので、該球導入路３６に通入されて前記図柄始動スイッチ３９で検出された遊技球を、前記球収容部５７に受入れることを許容する。一方、前記図柄表示装置Ｃで特定の図柄組合わせ(大当り)が成立した場合には、前記球誘導モータ５９を逆回転するように制御して前記球振分体５６を図２の時計方向へ回転させ、球収容部５７に保持している入賞球を該球収容部５７が先に整合する前記第１球通出路３７へ通出させる。更に、前記図柄表示装置Ｃで特定以外の図柄組合わせ(外れ)が成立した場合には、前記球誘導モータ５９を正回転するように制御して前記球振分体５６を図２の反時計方向へ回転させ、球収容部５７に保持している入賞球を該球収容部５７が先に整合する前記第２球通出路３８へ通出させる。そして前記球誘導モータ５９は、正・逆何れの方向へ回転制御されても、球振分体５６と同期的に回転していた前記センサ板６１の透光スリット６２が、フォトセンサ６４の検出部に到来したことを該フォトセンサ６４が検出する原点位置で停止する。また、前記主基板９０が前記フォトセンサ６４からの検出信号を受けると、入賞球による当該の図柄組合わせゲームが終了とされる。
【００２５】
(球通入規制機構)
前記球通入規制機構６５は、前記第１球通入路３２へ通入された入賞球が、前記球通出部２８の球導入路３６へ通入されるのを規制し、前記球導入路３６に常には１個の入賞球だけが通入されるように調整するよう機能する。具体的に球通入規制機構６５は、図２〜図５に示すように、取付板部２１に設けた挿通孔２１ａを介して前記図柄始動ゲート３５に隣接した部位に、球規制片６７を有する側面略Ｌ形の規制体(球通入規制部材)６６を設け、この規制体６６を前記裏板２４に固定された規制ソレノイド６８におけるロッド６８ａ先端に設けたフランジ６８ｂに固定し、該規制ソレノイド６８で該規制体６６を位置制御するようになっている。前記規制ソレノイド６８は、非励磁状態ではスプリング６８ｃの付勢力によりロッド６８ａが後退した状態とされ、励磁状態では該スプリング６８ｃの付勢力に抗してロッド６８ａが前進するように制御される。なお規制ソレノイド６８は、図１４に示すように常には非励磁状態とされ、前記図柄始動スイッチ３９が入賞球の通過を検出した際に前記主基板９０で励磁制御され、そして前記フォトセンサ６４からの検出信号が主基板９０へ入力されて球誘導モータ５９が停止制御されると同時に非励磁状態に復帰されるようになっている。
【００２６】
このように構成された球通入規制機構６５は、前記規制ソレノイド６８の非励磁状態時では、前記規制体６６の球規制片６７が前記図柄始動ゲート３５から退避した第１位置に保持され(図３)、第１球通入路３２を介して通入される入賞球が該図柄始動ゲート３５を介して球導入路３６へ通入するのを許容するようになる。一方、主基板９０からの制御信号に基いて前記規制ソレノイド６８が励磁制御されると、前記ロッド６８ａの前進変位に従って前進した規制体６６は、球規制片６７が図柄始動ゲート３５へ延出して臨んだ第２位置に保持され(図４)、第１球通入路３２を介して通入される入賞球が該図柄始動ゲート３５を介して球導入路３６へ通入するのを規制するようになる。すなわち、前記規制体６６が第２位置に保持された状態においては、前記球規制片６７が第１球通入路３２の一部分を形成するようになるから、前記第１球通入路３２へ通入された入賞球は、前述したように、該通入路３２に連通した球通出処理口３４へ案内されて遊技盤Ａの裏側へ排出処理される。なお球規制片６７は、図４に示すように、前記図柄始動ゲート３５の前後開口幅がパチンコ球(入賞球)の略１個分であることを前提とすると、規制体６６が第２位置に到来した状態において、少なくとも該図柄始動ゲート３５の開口領域における略半分程度だけ延出する長さに設定すれば、入賞球が球導入路３６側へ通入されることが規制される一方、図柄始動ゲート３５の開口部位にひっかかることもない。
【００２７】
(球通入遅延機構)
前記球通入遅延機構７０は、前述したように、例えば前記第１球通入路３２に連続的に複数個の入賞球が通入された場合、各入賞球を適宜時間差を以て前記図柄始動ゲート３５に向けて通出させ、これら入賞球が連なって該図柄始動ゲート３５へ到来することを防止するよう機能する。具体的に球通入遅延機構７０は、図２および図３に示すように、前記取付板部２１と前装飾板２５との間に架設される支持ピン７４に揺動可能に枢支され、凹設した球受け部７２および埋設したバランスウェイト７３を有する揺動形態の球送り体(球通入遅延部材)７１を主体とし、該球受け部７２に対する入賞球の有無による該球送り体７１の姿勢変化に基き、入賞球の通入に適宜時間差を持たせ得るようになっている。すなわち球送り体７１は、前記球受け部７２に入賞球が収容されていない場合は、前記バランスウェイト７３の重量により図８に示した状態に回動変位し、前記案内壁３１上に到来した入賞球を球受け部７２に受入れ可能な第１位置となる。また、前記第１位置において球受け部７２に１個の入賞球が収容されると、当該入賞球の重量によりバランスが崩れて図２および図９に示した状態へ回動変位し、球受け部７２に収容された入賞球を図柄始動ゲート３５に向けて通出可能な第２位置となる。
【００２８】
また、球送り体７１が前記第２位置に変位すると、該球送り体７１の球受面７５が案内壁３１の端部に臨むようになり、連続して通入された次行入賞球は該球受面７５に当接した状態で一時的に停留される。すなわち球送り体７１は、例えば２個の入賞球が連続的に通入された場合、先行入賞球を球受け部７２に受入れた後に第１位置から第２位置へ揺動し、該先行遊技球を通出した後に第２位置から第１位置へ揺動した時点で、次行入賞球を前記球受け部７２に受入れ可能となる。なお前記球送り体７１による次行入賞球の通入時間差は、少なくとも先行入賞球が前記図柄始動スイッチ３９で検出され、これにより前記規制体６６が第２位置へ変位した後に、次行入賞球を前記図柄始動ゲート３５に向けて通入させる程度に設定することが望ましい。
【００２９】
(通出エラー発生の判定)
そして実施例の入球装置２５では、前述したように、前記第１球通出路３７に入賞装置作動スイッチ４０を配設すると共に、前記第２球通出路３８に球排出確認スイッチ４１を新規に配設したことにより、球停留誘導機構５５の球振分体５６に一時停留された入賞球が、図柄表示装置Ｃでの図柄組合わせ結果に基いて第１球通出路３７または第２球通出路３８へ適切に通出されるた否かを検出し得る。従って、前記図柄始動スイッチ３９、入賞装置作動スイッチ４０および球排出確認スイッチ４１の検出状態により、前記主基板９０において入賞球の通出エラー発生が判定されるようになっている。そこで図１６および図１７に基き、通出エラー発生時における検出につき具体的に説明する。
【００３０】
先ず、前記図柄表示装置Ｃで特定の図柄組合わせが成立した際には、前述したように、前記球停留誘導機構５５の球振分体５６の回転動作中に前記入賞装置作動スイッチ４０が当該入賞球を検出し、その検出信号を出力することが正常な通出である。しかしながら、前記球振分体５６(球停留誘導機構５５)の回転動作中に前記入賞装置作動スイッチ４０が入賞球を検出しなかった場合は(図１６(ａ))、当該入賞球が第１球通出路３７へ正常に通出されなかったことになるから、主基板９０では前記球振分体５６の停止と同時に入賞球の通出エラー発生を判定可能となっている。一方、前記球振分体５６(球停留誘導機構５５)の回転動作中に前記球排出確認スイッチ４１が入賞球を検出した場合は(図１６(ｂ))、当該入賞球が第２球通出路３８へ通出されたことになる(入賞球が第１球通出路３７へ通出されないことになる)から、主基板９０では該球排出確認スイッチ４１の検出信号が出力されると同時に入賞球の通出エラー発生を判定可能となっている。
【００３１】
一方、前記図柄表示装置Ｃで特定の図柄組合わせが成立しなかった際には、前述したように、前記球停留誘導機構５５の球振分体５６の回転動作中に前記球排出確認スイッチ４１が当該入賞球を検出し、その検出信号を出力することが正常な通出である。しかしながら、前記球振分体５６(球停留誘導機構５５)の回転動作中に前記球排出確認スイッチ４１が入賞球を検出しなかった場合は(図１７(ａ))、当該入賞球が第２球通出路３８へ正常に通出されないことになるから、主基板９０では前記球振分体５６の停止と同時に入賞球の通出エラー発生を判定可能となっている。また、前記球振分体５６(球停留誘導機構５５)の回転動作中に前記入賞装置作動スイッチ４０が入賞球を検出した場合は(図１７(ｂ))、当該入賞球が第１球通出路３７へ通出されたことになる(入賞球が第２球通出路３８へ通出されないことになる)から、主基板９０では該入賞装置作動スイッチ４０の検出信号が出力されると同時に入賞球の通出エラー発生を判定可能となっている。
【００３２】
更に、前記図柄表示装置Ｃが作動していない時、または該図柄表示装置Ｃが作動して図柄が変動している時に、前記入賞装置作動スイッチ４０または前記球排出確認スイッチ４１の何れかが検出信号を出力した場合は、球停留誘導機構５５の誤動作等が原因であるから、主基板９０ではこれを通出エラーとして判定可能である。
【００３３】
(通出エラーの報知)
一方、前記入球装置２５において入賞球の通出エラーが発生した際には、前記主基板９０で制御されるエラー報知手段Ｈを利用することで通出エラーの報知を行なうようになっている。このエラー報知手段Ｈは、図６に示すように、前記図柄表示装置Ｃにおける表示窓枠７９の前面上部に配設され、前記主基板９０で個別に点灯・消灯制御される合計４個の報知ランプ(例えばＬＥＤランプ)７８ａ,７８ｂ,７８ｃ,７８ｄから構成されている。これら各報知ランプ７８ａ,７８ｂ,７８ｃ,７８ｄは、入賞球の通出が正確(正常)に行なわれている状態では消灯状態に制御され、前述した夫々の通出エラー発生を判定した時にはエラー内容に応じて個別に点灯制御されることで、夫々の通出エラーに対応したエラー報知を行なうようになっている。そこで、前記エラー報知手段Ｈによるエラー報知の態様につき、図１８に基いて具体的に説明する。
【００３４】
先ず、前記図柄表示装置Ｃで特定の図柄組合わせが成立した際に、前記球振分体５６(球停留誘導機構５５)の回転動作中に前記入賞装置作動スイッチ４０が入賞球を検出しなかった場合では、図１８(ａ)に示すように、エラー報知手段Ｈにおける右端に位置する報知ランプ７８ｄが１つだけ点灯するよう制御されるようになっている。また、前記球振分体５６(球停留誘導機構５５)の回転動作中に前記球排出確認スイッチ４１が入賞球を検出した場合では、図１８(ｂ)に示すように、エラー報知手段Ｈにおける右側に位置する報知ランプ７８ｃ,７８ｄが２つ同時に点灯するよう制御されるようになっている。なお、前記エラー報知手段Ｈによるエラー報知のタイミングは通出エラーの判定と同時に実行され、前記入賞装置作動スイッチ４０が入賞球を検出しなかった場合では前記球停留誘導機構５５における球振分体５６の動作停止時とされ、前記球排出確認スイッチ４１が入賞球を検出した場合は該スイッチ４１の検出時とされている。
【００３５】
また、前記図柄表示装置Ｃで特定の図柄組合わせが成立しなかった際に、前記球振分体５６(球停留誘導機構５５)の回転動作中に前記球排出確認スイッチ４１が入賞球を検出しなかった場合では、図１８(ｃ)に示すように、エラー報知手段Ｈにおける左端に位置する報知ランプ７８ａが１つだけ点灯するよう制御されるようになっている。更に、前記球振分体５６(球停留誘導機構５５)の回転動作中に前記入賞装置作動スイッチ４０が入賞球を検出した場合では、図１８(ｄ)に示すように、エラー報知手段Ｈにおける左側に位置する報知ランプ７８ａ,７８ｂが２つ同時に点灯するよう制御されるようになっている。なお、前記エラー報知手段Ｈによるエラー報知のタイミングは通出エラーの判定と同時に実行され、前記球排出確認スイッチ４１が入賞球を検出しなかった場合では前記球停留誘導機構５５における球振分体５６の動作停止時とされ、前記入賞装置作動スイッチ４０が入賞球を検出した場合は該スイッチ４０の検出時とされている。
【００３６】
更に、前記図柄表示装置Ｃが作動していない時、または該図柄表示装置Ｃが作動して図柄が変動している時に、前記入賞装置作動スイッチ４０または前記球排出確認スイッチ４１の何れかが検出信号を出力した場合には、主基板９０ではこれを通出エラー発生として判定する一方、前記エラー報知手段Ｈは４つの報知ランプ７８ａ,７８ｂ,７８ｃ,７８ｄの全てが同時に点灯するよう制御されるようになっている。
【００３７】
なお、前述した何れかの通出エラーが発生して判定されると共にこれを報知している際に、次行入賞球が前記図柄始動スイッチ３９で検出されたもとで前記図柄表示装置Ｃが再度作動して、該図柄表示装置Ｃでの図柄組合わせ結果に応じて正確(正常)な次行入賞球の通出処理が行なわれた場合(特定の図柄組合わせ成立の場合は入賞装置作動スイッチ４０が検出信号を出力し、特定の図柄組合わせ非成立の場合は球排出確認スイッチ４１が検出信号を出力する)は、自動的に通出エラーの判定およびエラー報知状態が解除されるようになっている。これにより、点灯していた報知ランプが消灯制御され、全ての報知ランプ７８ａ,７８ｂ,７８ｃ,７８ｄが消灯状態となる。なお、遊技機裏側等に設置したリセットボタン(図示せず)を押すことにより、通出エラーの判定およびエラー報知が解除されて点灯していた報知ランプが全て消灯状態となるようにしてもよい。
【００３８】
(図柄表示装置)
前記図柄表示装置Ｃは、現在広く実施に供されている液晶タイプの図柄表示部８０を有するものが例示され、前記主基板９０からの送信されたコマンド信号を受けた図柄制御基板９１により、左列、中列、右列からなる３列の図柄変動制御および図柄停止制御がなされる。すなわち主基板９０から図柄制御基板９１へは、▲１▼変動パターン指定コマンド、▲２▼左列図柄指定コマンド、▲３▼中列図柄指定コマンド、▲４▼右列図柄指定コマンド、▲５▼全図柄停止コマンド等が適時に送信され、これらのコマンド信号に基いて図柄表示装置Ｃが作動制御される。そして、左列、中列、右列からなる３列の図柄が特定の組合わせになった場合は所謂「大当り」の成立とされ、特定以外の組合わせになった場合は「外れ」とされる。また、表示窓枠７９の前面上方には、前述したように、エラー報知手段Ｈを構成する合計４個の報知ランプ７８ａ,７８ｂ,７８ｃ,７８ｄが配設されている。なお図柄表示装置は、実施例の液晶タイプの他に、回転ドラムタイプや回転ベルトタイプを採用してもよい。また、前記エラー報知手段Ｈが図柄表示装置Ｃの表示窓枠７９に設置されているから、遊技者およびホール管理者が容易に確認できるようになっている。
【００３９】
(第３種始動口)
前記第３種始動口Ｄは、遊技球の通過を検出する第３種始動口スイッチ１７と、遊技球を該スイッチ１７に誘導する回転体８１とから構成されている。前記第３種始動口スイッチ１７は、図柄表示装置Ｃでの特定の図柄組合わせが成立し、前記入球装置Ｂで特別遊技権利状態が現出されたもとで、所謂「右打ち」による打球操作により当該第３種始動口Ｄに遊技球が入球したことを検出することで、前記大型入賞装置Ｅにおける大入賞口８４の開放を起生する一方、前記大型入賞装置Ｅの大入賞口８４が開放された特別遊技中において、次の遊技球の入球検出により当該特別遊技を継続し得る権利を発生させるためのものである。なお特別遊技は、例えば前記第３種始動口Ｄに１６個の遊技球が入球された場合に終了処理される。また前記回転体８１は、入賞球を一時的に収容する収容部８１ａを有しており、第３種始動口モータ８２(図７)により常に一定の速度で一方向(例えば反時計方向)へ回転しており、約１１秒で１回転するようになっている。
【００４０】
(大型入賞装置)
前記大型入賞装置Ｅは、所謂「アタッカータイプ」のものが例示され、前記大入賞口８４を開閉する扉板８５は入賞装置ソレノイド８６(図７)により操作され、また入賞球の個数をカウントするためのカウントスイッチ８７が配設されている。例えば、大入賞口８４に１０個の遊技球が入賞球として入球した場合に、前記入賞装置ソレノイド８６が励磁制御されて扉板８５で該大入賞口８４を一時的に閉成するように制御可能である。
【００４１】
【実施例の作用】
次に、前述のように構成された実施例の入球装置Ｂの作用につき、該入球装置Ｂを装着した前記遊技盤Ａによる第３種パチンコ機の遊技形態を含め、図８〜図１３図に示した説明図と、図１４、図１５に示したタイミングチャートをもとにして説明する。
【００４２】
(初期状態)
前記入球装置Ｂを装着した前記遊技盤Ａを搭載した実施例のパチンコ遊技機では、電源基板９２を介して前記主基板９０に電源が投入された際に、先ず図柄制御基板９１を介して前記図柄表示装置Ｃの初期化が行なわれる。また第３種始動口Ｄでは、第３種始動口モータ８２が定速回転制御され、前記回転体８１を一定速度で連続回転させる。一方、入球装置Ｂでは、前記球誘導モータ５９が適宜方向へ回転制御され、フォトセンサ６４とセンサ板６１により原点位置検出が実行され、前記球振分体５６の球収容部５７を球導入路３６に整合させる。なお、入球装置Ｂにおける開閉機構４５の開閉ソレノイド４８、球通入規制機構６５の規制ソレノイド６８、大型入賞装置Ｅの入賞装置ソレノイド８６は何れも非励磁状態とされ、開閉機構４５では各羽根部材４６,４６を第１位置に保持して入賞領域３０ａを幅狭とし、球通入規制機構６５では規制体６６を第１位置に保持して前記図柄始動ゲート３５を開放状態とする一方、大入賞口８４は扉板８５で閉成された状態とされる。また前記各スイッチ１６,１７,２９,３９,４０,４１は、夫々が検出可能な有効状態とされる。
【００４３】
(パチンコ遊技)
そして、このもとで図示しない打球発射装置を操作してパチンコ遊技を開始して遊技盤Ａの遊技領域１１内へ遊技球を順次打出すと、各遊技球は遊技領域１１内を自然落下し、その一部は前記各入賞口Ｆ,Ｇ,３０および第３種始動口Ｄの何れかに入球してセーフ球となる一方、これ以外の多くの遊技球は最終的にアウト球を介して遊技盤Ａの裏側へ回収される。このうち、前記普通入賞口Ｇ,Ｇで入賞球が発生した場合は、該入賞口Ｇに設置した普通入賞口スイッチ１８がこれを検出してその検出信号を主基板９０へ出力し、該主基板９０では所定の賞球払出指令を図示しない賞球払出装置へ出力して、例えば１個の入賞球に対して１５個の賞球を払出し処理する。
【００４４】
また、前記開閉作動入賞口Ｆで入賞球が発生した場合は、開閉作動口スイッチ１６がこれを検出してその検出信号を主基板９０へ出力し、該主基板９０では所定の賞球払出指令を図示しない賞球払出装置へ出力して、例えば１個の入賞球に対して１５個の賞球を払出し処理する。更に主基板９０は、前記開閉機構４５の開閉ソレノイド４８を所定時間に亘って励磁制御し、前記各羽根部材４６,４６を第２位置へ変位させて入賞領域３０ａを拡幅させ、入賞球の発生確率を向上させる。なお開閉ソレノイド４８の励磁制御時間は、通常遊技状態中は０.３秒、後述する確率変動遊技状態中は３秒とされ、確率変動遊技中の方が入賞球の発生確率が大幅に向上する。
【００４５】
そして、前記開閉機構４５の各羽根部材４６,４６の姿勢に関係なく、遊技領域１１を介して遊技球が入賞領域３０ａを介して入球装置入賞口３０へ到来し、これにより入賞球が発生した場合は、これを前記入賞球検知スイッチ２９が検出してその検出信号を主基板９０へ出力し、該主基板９０では所定の賞球払出指令を図示しない賞球払出装置へ出力して、例えば１個の入賞球に対して１５個の賞球を払出し処理する。そして、入球装置Ｂの球通入出経路部２６へ通入された当該入賞球は、案内壁３１により基本的には第１球通入路３２へ通入して前記球通入遅延機構７０の方向へ案内され(図８)、該球通入遅延機構７０の球送り体７１により通入遅延された後に図柄始動ゲート３５へ到来する(図９)。なお、この時点では、前記球通入規制機構６５の規制体６６による通入規制がなされていないから、当該入賞球は図柄始動ゲート３５を介して球導入路３６へ通入され、図柄始動スイッチ３９がこれを検出してその検出信号を主基板９０へ出力する。
【００４６】
これにより主基板９０では、先ず当該の図柄始動スイッチ３９を検出不能状態(検出無効状態)に制御する。また、前記球通入規制機構６５における規制ソレノイド６８を励磁制御して前記規制体６６を第２位置へ移動させ、該規制体６６の球規制片６７を前記図柄始動ゲート３５内へ臨ませて、以降に通入される次行入賞球が球導入路３６側へ通入することを規制する(図４)。更に、前記図柄制御基板９１へ所定のコマンド信号を送信し、前記図柄表示装置Ｃにおける図柄組合わせ変動を開始させる。前記図柄始動スイッチ３９で検出された入賞球は、球停留誘導機構５５における球振分体５６の球収容部５７に受入れられ、該球収容部５７内で一時的に停留保持される。
【００４７】
前記主基板９０からのコマンド信号に基く前記図柄制御基板９１からの制御信号により、前記図柄表示装置Ｃでは該図柄制御基板９１で予め設定された所定変動パターンに基いて図柄組合わせ変動が実施された後、左列、中列、右列が順次停止して図柄組合わせ表示がなされ、この図柄停止表示結果に基いて前記球停留誘導機構５５が作動制御される。すなわち、図柄表示装置Ｃにおいて特定の図柄組合わせ(大当り)が成立した場合は、球停留誘導機構５５の前記球誘導モータ５９を逆回転制御して球振分体５６を時計方向へ回転させ、前記入賞球を第１球通出路３７へ通出させる。また、図柄表示装置Ｃにおいて特定以外の図柄組合わせ(外れ)が成立した場合は、球停留誘導機構５５の前記球誘導モータ５９を正回転制御して球振分体５６を反時計方向へ回転させ、前記入賞球を第２球通出路３８へ通出させる。
【００４８】
ここで、前記図柄表示装置Ｃにおいて特定の図柄組合わせ(大当り)が成立して、第１球通出路３７へ通出された入賞球を前記入賞装置作動スイッチ４０が検出すると特別遊技権利状態が現出される。特別遊技権利状態となった場合には、打球操作を所謂「右打ち」に変更して遊技球を前記第３種始動口Ｄに向けて打出し、このもとで第３種始動口Ｄで入賞球が発生して第３種始動口スイッチ１７がこれを検出すると、この時点から、▲１▼所定時間(例えば９.５秒)が経過した場合、▲２▼この所定時間内に所定個数(例えば１０個)の入賞球が発生した場合、の何れかの条件が成立するまで大型入賞装置Ｅの大入賞口８４が開放される。そして、大型入賞装置Ｅにおける大入賞口８４の開放動作は、特別遊技権利状態において、▲１▼前記第３種始動口Ｄで合計１６個の入賞球が発生した場合、▲２▼前記入球装置Ｂにおいて新たな入賞球が第１球通出路３７へ通出されて前記入賞装置作動スイッチ４０で検出された場合、の何れかの条件が成立するまで継続されるようになる。
【００４９】
一方、前記図柄表示装置Ｃでの図柄組合わせ結果に基いて作動した前記球停留誘導機構５５において、前記球誘導モータ５９の正回転または逆回転により球振分体５６が１回転すると、前記フォトセンサ６４がセンサ板６１の透光スリット６２の到来を検出して原点位置が検出され、これにより主基板９０は該球誘導モータ５９の駆動を停止する。そして、フォトセンサ６４の検出信号を受けた主基板９０は、図１４に示すように、前記球通入規制機構６５における規制ソレノイド６８の励磁制御を解除するので、前記規制体６６が第１位置へ復帰して球規制片６７が記図柄始動ゲート３５内から退避し、以降に第１球通入路３２に通入される次行入賞球が球導入路３６側へ通入することを許容するようになる。一方、検出不能状態(検出無効状態)に制御されていた前記図柄始動スイッチ３９を検出可能状態(検出有効状態)に制御して、球導入路３６側へ通入された次行入賞球の検出を可能とする。
【００５０】
これにより、先行入賞球に基く前記図柄表示装置Ｃの図柄組合わせ変動処理が終了し、その結果に伴って該入賞球の通出処理が完了した時点で、前記球通入規制機構６５の復帰および図柄始動スイッチ３９の検出可能状態への復帰が行なわれる。そして、前記球通入遅延機構７０を経て通入した次行入賞球は、前記図柄始動ゲート３５を介して球導入路３６に通入されることが許容され、球導入路３６に通入した次行入賞球は前記図柄始動スイッチ３９で検出される。従って、当該次行入賞球に基く図柄表示装置Ｃでの図柄組合わせ変動が開始され、所要の図柄組合わせ遊技が実行される。
【００５１】
(確率変動遊技状態による連続入賞球の発生時)
また実施例の入球装置Ｂでは、前記図柄表示装置Ｃにおける図柄組合わせ結果として確率変動を伴う「大当り」が現出された場合には、前述したように、この確率変動遊技状態中に前記開閉作動入賞口Ｆへ遊技球が入球すると、前記開閉機構４５における開閉ソレノイド４８が３秒間に亘って励磁制御され、これに伴って該開閉機構４５の各羽根部材４６,４６が第２位置に変位して入賞領域３０ａが３秒間拡幅されるから、入賞球の発生確率が大幅に向上する。従って確率変動遊技状態では、拡幅された前記入賞領域３０ａから入球装置入賞口３０を介して複数の入賞球が連続的に通入する可能性があるが、実施例の入球装置Ｂでは前記球通入遅延機構７０を設けたことにより、各入賞球を適宜時間差を以て前記図柄始動ゲート３５側へ到来させ得るようになる。
【００５２】
これを、図８〜図１３および図１５に示したタイミングチャートをもとに説明すると、羽根部材４６,４６が３秒に亘って開放している際に、例えば３個の入賞球(説明の便宜上、通入順に第１入賞球、第２入賞球、第３入賞球)が入賞領域３０ａから入球装置入賞口３０に到来した場合、第１、第２、第３の各入賞球は入賞球検知スイッチ２９で順次検出された後、第１球通入路３２の側へ順次通入される。そして、前記球通入遅延機構７０の球送り体７１が第１位置に保持されているので、先ず第１入賞球が該球送り体７１の球受け部７２に収容される(図８)。
【００５３】
そして、第１入賞球が球受け部７２に収容されると、球送り体７１が第１位置から第２位置へ揺動するので、第１入賞球は球受け部７２から抜け出て図柄始動ゲート３５側へ通入される(図９)。一方、この時、案内壁３１に沿って球送り体７１の側へ到来した第２入賞球は、該球送り体７１の球受面７５に当接した状態で一旦停留して待機するようになる。
【００５４】
第１入賞球の放出が完了すると、球送り体７１は第２位置から第１位置へ揺動復帰するので、該球送り体７１が第１位置に到来した時点で前記第２入賞球が球受け部７２へ収容されるようになる。但し前記第１入賞球は、第２入賞球が球受け部７２に収容された時点で、図柄始動ゲート３５を介して球導入路３６へ通入され、前記図柄始動スイッチ３９で検出される(図１０および図１５)。
【００５５】
そして前述したように、第１入賞球が図柄始動スイッチ３９で検出されると、これと同時に球通入規制機構６５における規制体６６が第２位置へ移動し、図４に示すように、球規制片６７が図柄始動ゲート３５に臨む。しかしこの時点では、前記第２入賞球は、再び第１位置から第２位置へ揺動移動している前記球送り体７１の球受け部７２に未だ収容されている状態であり、図柄始動ゲート３５へは到来していない。
【００５６】
従って、前記球送り体７１が第２位置へ到来して該球送り体７１の球受け部７２から第２入賞球が放出された時点では(図１１)、前記規制体６６が第２位置へ移動して図柄始動ゲート３５へ球規制片６７が到来完了となっている。一方、前記第１入賞球は、第２入賞球が球送り体７１から放出された時点で、既に球停留誘導機構５５における球振分体５６球収容部５７に収容される。すなわち、略同時に第１球通入路３２へ通入された第１遊技球と第２遊技球は、前記球送り体７１が第１位置→第２位置→第１位置と往復揺動変位するに要する時間差を以て図柄始動ゲート３５側へ夫々通入される。
【００５７】
これにより、図柄始動スイッチ３９が検出不能状態に制御され、かつ前記球通入規制機構６５の規制ソレノイド６８が励磁制御されて規制体６６が第２位置に変位された後に、第２入賞球は球規制片６７が臨んでいる図柄始動ゲート３５へ到来するようになるから、球導入路３６の側へ通入されることはない。従って、第１入賞球が図柄始動スイッチ３９で検出され、図柄表示装置Ｃによる図柄組合わせ変動が開始された後に、第２入賞球が図柄始動ゲート３５を介して球導入３６へ通入することがない(図１５に破線で示す)。なお第２入賞球は、第１球通入路３２の壁部の一部を構成する前記球規制片６７に案内されて前記球通出処理口３４へ通出案内され、該球通出処理口３４を介して遊技盤Ａ裏側へ排出される(図１２)。
【００５８】
一方、前記第３入賞球は、図１０に示すように、前記第２入賞球が球送り体７１の球受け部７２に収容される時点で、案内壁３１に沿って該球送り体７１の手前まで到来している。しかし第３入賞球は、前記第２入賞球により球送り体７１が第１位置→第２位置→第１位置と往復揺動した後に該球送り体７１の球受け部７２に収容することが許容され(図１２)、再び球送り体７１が第１位置→第２位置へ揺動することで図柄始動ゲート３５側へ通入される。従って第３入賞球は、前記第２入賞球と同様に、図柄始動ゲート３５に延出して臨んでいる前記規制体６６の球規制片６７により球通出処理口３４へ通出案内され、該球通出処理口３４を介して遊技盤Ａ裏側へ排出される(図１３)。これにより、第１入賞球が図柄始動スイッチ３９で検出されて図柄表示装置Ｃによる図柄組合わせ変動が開始された後に、第３入賞球が図柄始動ゲート３５を介して球導入３６へ通入することがない。
【００５９】
(球詰まり防止)
一方、前記球通入遅延機構７０による入賞球の通入遅延作動により、該機構７０の上流側に複数の入賞球が待機している状態で、更に入球装置入賞口３０から入賞球が通入された場合は、図２に示すように、当該次々行入賞球は待機している入賞球に衝突しながら第２球通入路３３側へ振分けられる。従って次々行入賞球は、第２球通入路３３を介して前記球通出処理口３４へ直接通出案内され、該球通出処理口３４を介して遊技盤Ａ裏側へ通出される。これにより、例えば３個以上の入賞球が略同時に発生した場合でも、第１球通入路３２の入口部における入賞球の球詰まりが好適に回避される。
【００６０】
(通出エラー発生の判定およびエラー報知)
そして、前記図柄表示装置Ｃでの図柄変動後に特定の図柄組合わせが成立した際に、前記球振分体５６(球停留誘導機構５５)の回転動作中に前記入賞装置作動スイッチ４０が入賞球を検出しなかった場合、前記主基板９０では、入賞球の通出エラーが発生したと判定する一方、図柄表示装置Ｃに設けたエラー報知手段Ｈにおける右端１つの報知ランプ７８ｄを点灯制御してエラー報知する(図１６(ａ)および図１８(ａ))。また、特定の図柄組合わせが成立した際に、前記球振分体５６(球停留誘導機構５５)の回転動作中に前記球排出確認スイッチ４１が入賞球を検出した場合、前記主基板９０では、入賞球の通出エラーが発生したと判定する一方、図柄表示装置Ｃに設けたエラー報知手段Ｈにおける右側２つの報知ランプ７８ｃ,７８ｄを点灯制御してエラー報知する(図１６(ｂ)および図１８(ｂ))。
【００６１】
一方、前記図柄表示装置Ｃでの図柄変動後に特定の図柄組合わせが成立しなかった際に、前記球振分体５６(球停留誘導機構５５)の回転動作中に前記球排出確認スイッチ４１が入賞球を検出しなかった場合、前記主基板９０では、入賞球の通出エラーが発生したと判定する一方、図柄表示装置Ｃに設けたエラー報知手段Ｈにおける左端１つの報知ランプ７８ａを点灯制御してエラー報知する(図１７(ａ)および図１８(ｃ))。一方、前記図柄表示装置Ｃで特定の図柄組合わせが成立しなかった際に、前記球振分体５６(球停留誘導機構５５)の回転動作中に前記入賞装置作動スイッチ４０が入賞球を検出した場合、前記主基板９０では、入賞球の通出エラーが発生したと判定する一方、図柄表示装置Ｃに設けたエラー報知手段Ｈにおける左側２つの報知ランプ７８ａ,７８ｂを点灯制御してエラー報知する(図１７(ｂ)および図１８(ｄ))。
【００６２】
更に、前記図柄表示装置Ｃが作動していない時、または該図柄表示装置Ｃが作動して図柄が変動している時に、前記入賞装置作動スイッチ４０または前記球排出確認スイッチ４１の何れかが検出信号を出力した場合、前記主基板９０では、これを通出エラーとして判定する一方、前記エラー報知手段Ｈにおける４つの報知ランプ７８ａ,７８ｂ,７８ｃ,７８ｄの全てを同時に点灯制御してエラー報知する。
【００６３】
従って実施例の入球装置２５では、前記第１球通出路３７に入賞装置作動スイッチ４０を配設すると共に、前記第２球通出路３８に球排出確認スイッチ４１を新規に配設したことにより、球停留誘導機構５５の球振分体５６に一時停留された入賞球が、図柄表示装置Ｃでの図柄組合わせ結果に基いて第１球通出路３７または第２球通出路３８へ適切に通出されたか否かを適切に検出し得るから、主基板９０では、これら各スイッチ３９,４０,４１の検出信号により入賞球の通出エラー発生を好適に判定することが可能である。
【００６４】
また実施例では、前記主基板９０で制御されるエラー報知手段Ｈ(報知ランプ７８ａ,７８ｂ,７８ｃ,７８ｄ)を図柄表示装置Ｃに設け、前述した夫々の通出エラーに応じて各報知ランプ７８ａ,７８ｂ,７８ｃ,７８ｄを点灯制御するようになっているので、該主基板９０で入賞球の通出エラー発生を判定した際に各報知ランプ７８ａ,７８ｂ,７８ｃ,７８ｄの点灯態様を確認するだけで、如何なる通出エラーが発生したかを瞬時に把握することが可能となる。これにより、入球装置Ｂに発生した異常またはトラブル等を正確に把握することができる。またエラー報知手段Ｈは、図柄表示装置Ｃの表示窓枠等７９に設置されるから、遊技者およびホール管理者が容易に確認できる。なお、前記報知ランプ７８ａ,７８ｂ,７８ｃ,７８ｄによる各通出エラーのエラー報知は、前述した点灯態様に限定されるものではなく、夫々の通出エラーを簡単かつ迅速に把握し得ればこれ以外の態様にしてもよい。更に、エラー報知手段Ｈにおける報知ランプ７８ａ,７８ｂ,７８ｃ,７８ｄの配設位置は図柄表示装置Ｃ以外でもよいし、またその配設数も４つに限定されるものではない。一方、主基板９０で制御されるエラー報知手段Ｈに関しては、報知ランプによるランプ表示形態に限定されるものではなく、例えばブザーやアラーム等の音、液晶等を利用した文字表示等としてもよい。
【００６５】
一方、前記球通入規制機構６５による入賞球の通入規制形態や、前記球通入遅延機構７０による入賞球の通入遅延形態は、実施例に示したものに限定されるものではない。例えば球通入規制機構６５では、規制体６６を規制ソレノイド６８で第１位置と第２位置とに移動させるよう構成したが、該規制体６６の移動はモータ等で行なうようにしてもよい。また球通入遅延機構７０では、入賞球の自重およびバランスウェイト７３を利用して球送り体７１を往復揺動させるよう構成したが、該球送り体７１を電磁ソレノイドやモータを利用して変位させるようにしてもよい。
【００６６】
【発明の効果】
以上説明した如く、本発明に係るパチンコ遊技機の入球装置によれば、第１球通出路に第２球検出手段を配設すると共に、第２球通出路に第３球検出手段を新規に配設したことにより、図柄表示装置での図柄組合わせ結果に基き球停留誘導部材に一時停留された入賞球が第１球通出路または第２球通出路へ適切に通出されたか否かを正確に検出し得るから、入球装置の異常やトラブル等による入賞球の通出エラー発生を好適に判定することが可能となる有益な効果を奏する。すなわち、図柄表示装置で特定の図柄組合わせが成立した際に、球停留誘導部材に一時停留された入賞球が入賞装置作動領域とされる第１球通出路へ適切に通出されたか否かを検出して入賞球の通出エラー発生を判定できると共に、前記図柄表示装置で特定の図柄組合わせが成立しなかった際に、球停留誘導部材に一時停留された入賞球が第２球通出路へ適切に通出されたか否かを検出して入賞球の通出エラー発生を判定できる。更には、前記図柄表示装置Ｃが作動していない時や、該図柄表示装置Ｃが作動して図柄が変動している時に、第１球通出路または第２球通出路へ遊技球が通出された場合も、入賞球の通出エラー発生を判定し得る。
【図面の簡単な説明】
【図１】本発明の好適実施例に係る入球装置の概略斜視図である。
【図２】図１に示した入球装置の正面図である。
【図３】図２のIII−III線断面図であって、開閉ソレノイドおよび規制ソレノイドの非励磁状態を示している。
【図４】図２のIII−III線断面図であって、開閉ソレノイドおよび規制ソレノイドの励磁状態を示している。
【図５】図１に示した入球装置の分解斜視図である。
【図６】図１に示した入球装置等を装着した遊技盤の正面図である。
【図７】入球装置の制御形態を示すブロック図である。
【図８】第１球通入路に複数個の入賞球が通入した際の各入賞球の通入出処理態様を示す説明図であって、３個の入賞球のうち第１入賞球が球送り体の球受け部に収容された状態を示している。
【図９】第１球通入路に複数個の入賞球が通入した際の各入賞球の通入出処理態様を示す説明図であって、第１入賞球が図柄始動ゲートに向けて通入されると共に、第２入賞球が球送り体で一時的に保持されている状態を示している。
【図１０】第１球通入路に複数個の入賞球が通入した際の各入賞球の通入出処理態様を示す説明図であって、第１入賞球が図柄始動スイッチで検出されると共に、第２入賞球が球送り体の球受け部に収容された状態を示している。
【図１１】第１球通入路に複数個の入賞球が通入した際の各入賞球の通入出処理態様を示す説明図であって、規制体の球規制片が図柄始動ゲートに臨んだ後に、第１入賞球が球振分体の球収容部に停留保持され、第２入賞球が図柄始動ゲートに向けて通出されると共に、第３入賞球が球送り体で保持されている状態を示している。
【図１２】第１球通入路に複数個の入賞球が通入した際の各入賞球の通入出処理態様を示す説明図であって、図柄始動ゲートに臨んだ球規制片により第２入賞球が球通出処理口の側へ通出案内されると共に、第３入賞球が球送り体の球受け部に収容された状態を示している。
【図１３】第１球通入路に複数個の入賞球が通入した際の各入賞球の通入出処理態様を示す説明図であって、図柄始動ゲートに臨んだ球規制片により第３入賞球が球通出処理口の側へ通出案内される状態を示している。
【図１４】通常遊技状態時のタイミングチャートである。
【図１５】確率変動遊技状態時のタイミングチャートである。
【図１６】図柄表示装置で特定の図柄組合わせ成立時における通出エラー判定時のタイミングチャートであって、(ａ)は停留入賞球が第１球通出路へ通出されなかった場合を示し、(ｂ)は停留入賞球が第２球通出路へ通出された場合を示している。
【図１７】図柄表示装置で特定の図柄組合わせ非成立時における通出エラー判定時のタイミングチャートであって、(ａ)は停留入賞球が第２球通出路へ通出されなかった場合を示し、(ｂ)は停留入賞球が第１球通出路へ通出された場合を示している。
【図１８】図柄表示装置に配設したエラー報知手段を構成する報知ランプにより、図１６および図１７に示した夫々の通出エラーに対応したエラー報知態様を示す説明図である。
【符号の説明】
３７  第１球通出路
３８  第２球通出路
３９  図柄始動スイッチ(第１球検出手段)
４０  入賞装置作動スイッチ(第２球検出手段)
４１  球排出確認スイッチ(第３球検出手段)
５６  球振分体(球停留誘導部材)
Ｃ  図柄表示装置
【図１】
0004707882.tif 000002
【図２】
0004707882.tif 000003
【図３】
0004707882.tif 000004
【図４】
0004707882.tif 000005
【図５】
0004707882.tif 000006
【図６】
0004707882.tif 000007
【図７】
0004707882.tif 000008
【図８】
0004707882.tif 000009
【図９】
0004707882.tif 000010
【図１０】
0004707882.tif 000011
【図１１】
0004707882.tif 000012
【図１２】
0004707882.tif 000013
【図１３】
0004707882.tif 000014
【図１４】
0004707882.tif 000015
【図１５】
0004707882.tif 000016
【図１６】
0004707882.tif 000017
【図１７】
0004707882.tif 000018
【図１８】
0004707882.tif 000019